(57)【要約】      （修正有）【課題】ガラス扉が前に引っ張られることにより、ガラス扉の位置が前側に変位した場合でも、ガラス扉と遊技盤との距離を略一定に保つことが可能な遊技機を提供する。【解決手段】遊技機は、発射された遊技球が流下する遊技領域を前側に備える遊技盤３と、遊技盤３を保持する本体枠２とを備える。遊技盤３の前側で遊技領域を覆うガラスユニットを有するとともに、扉状に開閉自在なガラス扉を備える。本体枠２に遊技盤３が前後動自在に保持されている。遊技盤３を本体枠２に対して前側に付勢する付勢手段１０を備える。遊技盤３は、付勢手段１０によって前側で閉じた状態のガラス扉の背面に向けて付勢されている。遊技盤３の前面の一部がガラス扉の背面に当接することにより、ガラス扉に遊技盤３の前後位置が決められる。ガラス扉の前後位置の変位に遊技盤３が追随して前後に変位可能になっている。【選択図】図１１
2014171595.tif 000002
【特許請求の範囲】
【請求項１】
発射された遊技球が流下する遊技領域を前側に備える遊技盤と、
前記遊技盤を保持する本体枠と、
前記遊技盤の前側で前記遊技領域を覆う透明板を有するとともに、扉状に開閉自在な透明板扉とを備える遊技機において、
前記本体枠に前記遊技盤が前後動自在に保持され、
かつ、前記遊技盤を前記本体枠に対して前側に付勢する付勢手段を備え、
前記遊技盤は、前記付勢手段によって前側で閉じた状態の前記透明板扉の背面に向けて付勢され、前記遊技盤の前面の一部が前記透明板扉の背面に当接することにより、前記透明板扉に前記遊技盤の前後位置が決められるとともに、前記透明板扉の前後位置の変位に前記遊技盤が追随して前後に変位可能になっていることを特徴とする遊技機。
【請求項２】
前記付勢手段は、前記遊技盤の互いに平行な一対の側縁部にそれぞれ係合する複数の係合部材と，前記本体枠に設けられ、前記係合部材を前記側縁部に沿って延在する軸回りに回転自在に支持する支持部材と、前記支持部材に回転自在に支持される前記係合部材を前側に回転移動するように付勢するばねとを備えていることを特徴とする請求項１に記載の遊技機。
【請求項３】
前記遊技盤の下側に配置され、前記遊技盤の前記遊技領域に向けて遊技球を発射する遊技球発射装置が、前記透明板扉の前記透明板の下側に設けられていることを特徴とする請求項１または２に記載の遊技機。
【請求項４】
前記付勢手段の前記係合部材は、前記遊技盤の前記側縁部の前側に配置される前板と、前記遊技盤の前記側縁部の後側に配置される後板とを備え、前記前板と前記後板との間に前記遊技盤の前記側縁部が係合するとともに、前記遊技盤に係合している状態の前記係合部材を前記軸回りに回転可能とするために前記前板と前記後板との間の間隔が、前記遊技盤の前記側縁部の厚みより広くされ、
前記付勢手段は、閉じた状態の前記透明板扉により位置決めされる位置より前側に前記遊技盤が移動可能で、かつ、前記係合部材に前記遊技盤が保持された状態が維持可能な前記係合部材の所定の回転角度より大きな回転角度への回転を規制する規制手段を備え、
前記規制手段のうちの少なくとも前記遊技盤の一対の前記側縁部のうちの一方の前記側縁部に係合する前記係合部材の回転を規制する前記規制手段は、前記係合部材の前記回転角度の規制を解除して、前記係合部材から前記遊技盤の一方の前記側縁部を外せる回転角度以上に回転可能とさせる規制解除手段を備えていることを特徴とする請求項２に記載の遊技機。
【発明の詳細な説明】
【技術分野】
【０００１】
本発明は、遊技盤と当該遊技盤の前面側を覆うガラス扉を備える遊技機に関する。
【背景技術】
【０００２】
パチンコ遊技機のように、遊技球を遊技盤の盤面（前面）に設けられた遊技領域に発射して、遊技領域内を流下する遊技球に基づいて遊技を行う遊技機（弾球遊技機）においては、遊技領域を有する遊技盤の前面側が、当該遊技領域を視認可能に透明な二重ガラス（透明板）により覆われ、この二重ガラスにより遊技球を遊技領域内に保持している。
【０００３】
このような遊技機は、例えば、遊技店の島設備に固定される矩形枠状の機枠と、この機枠に対して扉状に開閉自在に設けられるとともに、前記遊技盤を収容する本体枠と、この本体枠の前側に扉状に開閉自在に設けられ、上述の二重ガラス（透明板）を備えた、ガラス扉（透明板扉）とを備えている。
【０００４】
このような遊技機において、遊技盤の盤面に直交する方向が前後方向であり、遊技機からこの遊技機を遊技する遊技者に向く方向が前となり、反対に遊技者から遊技機に向かう方向、言い換えれば遊技機から島設備の内側に向かう方向が後となり、各部材の前記遊技者を向く側が前面で、各部材の遊技機が設置された島設備の内部側に向く側が背面になる。また、遊技機側（遊技機の後方側）を向く遊技者から見て遊技機の左方向を遊技機の左方向とし、前記遊技者から見て遊技機の右方向を遊技機の右方向とする。
【０００５】
また、ガラス扉には、例えば、上述の二重ガラスを備えたガラスユニットが着脱自在に設けられている。ガラス扉には、ガラスユニットが嵌め込まれる開口部が設けられ、この開口部の範囲には、その後ろに遊技領域全体が重なるようになっており、遊技領域全体を二重ガラス越しに視認できるようになっている。
【０００６】
ガラス扉のガラスユニットの下側には、例えば、遊技球が払い出されるとともに、遊技領域に遊技球を発射する遊技球発射装置に遊技球を供給するための上皿や、上皿からオバーフローした遊技球が貯留させられる下皿等が設けられている。
【０００７】
また、遊技盤は、本体枠に固定されており、本体枠に位置決めされている。また、本体枠の遊技盤の下側には、遊技球発射装置が設けられており、本体枠に遊技領域を形成するための遊技盤が位置決めされて固定されるとともに、本体枠に遊技領域に遊技球を発射する遊技球発射装置が位置決めされた状態に設けられている。
【０００８】
また、遊技盤への本体枠の固定は、遊技盤の左側縁部より右側縁部が前側になるように斜めにした状態で、遊技盤の左側縁部を本体枠の枠内の左側縁部に係合した後に遊技盤の右側縁部を後側に移動して、遊技盤の左側縁部が本体枠に位置決めされた状態で、遊技盤の右側を本体枠に固定する。また、本体枠の遊技盤が収納される枠内の底面に遊技盤の下端が載せられた状態に支持され、上下位置が決められている。
【０００９】
また、遊技盤の左側縁部を本体枠内の左側縁部側に固定する際に、遊技盤の左側縁部の前面に当接する本体枠の当接板と、遊技盤の左側縁部の背面側を前側に付勢する板ばねとを用い、板ばねにより遊技盤の左側縁部を当接板に押し付けることで、遊技盤の左側縁部の前側の位置を決めるとともに当該左側縁部を保持する遊技機が提案されている（例えば、特許文献１参照）。
【００１０】
二重ガラスの背面と、遊技盤の遊技領域部分の盤面（前面）との間には、遊技球の直径より少し広い間隔（遊技球の直径より広く、直径の２倍より狭い間隔）があけられ、遊技盤の盤面と、二重ガラスの背面との間を遊技球が流下可能になっている。
【００１１】
このような遊技機において、不正行為として、ワイヤやセルロイド（透明で薄く細長い樹脂板）といった道具をガラス扉と遊技盤との間に挟み込んで、これら道具により遊技球を入賞口に導いたり、開閉する機構を有する入賞装置（アタッカ、電動チューリップ）を無理にこじ開けたりするなどの不正行為が行われる場合があった。この場合に、例えば、上皿と二重ガラスが一つのガラス扉にある場合に、上皿を引っ張ることにより、二重ガラスと遊技盤との間に隙間を設けてセルロイドやワイヤを遊技領域内に挿入させる場合があった。
【００１２】
また、上述のように上皿を強く引っ張って、ガラス扉の二重ガラスの背面と遊技盤の盤面との間隔を広げるとともに、それにタイミングを合わせて遊技球を発射した後に上皿を元に戻すことにより複数の遊技球をそれらの一部が前後に重なり合った状態で、二重ガラスと遊技盤との間に挟み込んで流ない状態（詰まった状態）とすることが行われる場合があった。このように挟まれた複数の遊技球を元に遊技球を入賞口のそばでブドウ状に詰まらせ、この詰まった遊技球により、他の遊技球を入賞口に案内させることができる。
【００１３】
このような不正を防止するために、本体枠およびガラス扉の一方にフック状の係止部材を設け、他方にフックが掛けられる被係止部材を設け、被係止部材に係止部材が係止させられることにより、上皿を引っ張った場合でも本体枠からガラス扉が離れるのを防止する構造が用いられている（例えば、特許文献２参照）。
【先行技術文献】
【特許文献】
【００１４】
【特許文献１】特開２０１０−２４０１１７号公報
【特許文献１】特開２００６−３４５９２３号公報
【発明の概要】
【発明が解決しようとする課題】
【００１５】
ところで、特許文献１では、遊技盤の一方の側縁部が前側すなわちガラス扉側に付勢されているが、本体枠のストッパにより遊技盤の前側への移動が止められており、上述のようにガラス扉が前側に引っ張られると、ガラス扉が本体枠から離れることにより、ガラス扉が本体枠に固定された遊技盤から離れることになる。
【００１６】
それに対して、フックで遊技盤とガラス扉とを係止させたものでは、ガラス扉が前側に引っ張られてもガラス扉が遊技盤（本体枠）から離れるのが抑制される。
しかし、ガラス扉を上皿の部分で強く引っ張った場合に、ガラス扉全体やフックで係止された部分が変形し、ガラス扉が遊技盤から離れるのを完全に防止するのは難しかった。
【００１７】
この場合にフックの数を増やすことも考えられるが、遊技領域部分にフックを設けることができず、遊技領域の下側には、遊技球発射装置、発射された遊技球が通る遊技球発射経路、発射したにも関わらずに戻ってしまったファール球が通るファール球経路、上皿から遊技球発射装置側への遊技球を供給する遊技球供給経路、払い出された遊技球の上皿への払出経路等の各種機構が複雑に集積して設けられており、複数のフックを配置することが困難である。
【００１８】
また、ガラス扉は、遊技中に勝手に開放されないように施錠された状態となっているが、たとえば、球詰まりの解消等の各種メンテナンスの際にガラス扉を開放する必要がある。この際に、ガラス扉の錠を解錠するとともに、上述のフックが外れる構成（係止部材が被係止部材から外れる構成）として、フックがガラス扉の開放の邪魔にならないようにする必要があるとともに、施錠時にフックが掛かった状態（係止部が被係止部に掛かった状態）とする必要がある。しかし、施錠装置は、遊技機の右側縁部側にあるのに対して、上述のフックは、ガラス扉の変形等を考慮した場合に、遊技球の左右の中央部分に設けられることになる。
【００１９】
その場合に施錠装置とフックとが離れることになり、施錠装置に連動させてフックを動作させる部材の弾性変形等により、施錠や解錠の操作を行った際にフックが正確に動作せずに、施錠時にフック（係止部材）を被係止部材に係止できない場合があったり、解錠時にフック（係止部材）を被係止部材から外せない場合あったりする虞がある。
【００２０】
本発明は、前記事情に鑑みて為されたもので、ガラス扉が前に引っ張られることにより、ガラス扉の位置が前側に変位した場合でも、ガラス扉と遊技盤との距離を略一定に保つことが可能な遊技機を提供することを目的とする。
【課題を解決するための手段】
【００２１】
前記課題を解決するために、本発明の遊技機は、発射された遊技球が流下する遊技領域を前側に備える遊技盤と、
前記遊技盤を保持する本体枠と、
前記遊技盤の前側で前記遊技領域を覆う透明板を有するとともに、扉状に開閉自在な透明板扉とを備える遊技機において、
前記本体枠に前記遊技盤が前後動自在に保持され、
かつ、前記遊技盤を前記本体枠に対して前側に付勢する付勢手段を備え、
前記遊技盤は、前記付勢手段によって前側で閉じた状態の前記透明板扉の背面に向けて付勢され、前記遊技盤の前面の一部が前記透明板扉の背面に当接することにより、前記透明板扉に前記遊技盤の前後位置が決められるとともに、前記透明板扉の前後位置の変位に前記遊技盤が追随して前後に変位可能になっていることを特徴とする遊技機。
【００２２】
このような構成によれば、遊技盤が本体枠に対して前後動自在で、透明板扉の背面に付勢され、透明板扉に当接することにより、透明板扉により遊技盤の前後位置が決められ、かつ、遊技盤が透明板扉の前後変位に追随して前後に変位可能になっている。
【００２３】
したがって、上皿を手前に引っ張ることにより、透明板扉が前側に移動した際に、遊技盤が透明板扉に当接した状態で透明板扉と一緒に前に移動することになり、透明板扉と遊技盤との間にワイヤやセルロイド等を挿入するための隙間があくのを抑制することができる。
また、球詰まりの発生要因となる遊技盤盤面と透明板背面との間隔の変化を防止し、上皿を引っ張ることにより、故意に球詰まりを発生させようとしても、球詰まりの発生を抑制することができる。
【００２４】
また、遊技盤の前後位置が透明板扉によって決められているので、遊技盤が本体枠に前後位置を規制されている場合に比較して、透明板背面と遊技盤の盤面との間の距離の組立誤差等による遊技台毎の固体差を低減することができる。透明板の背面と遊技盤の盤面との間の距離は、遊技領域の遊技球の流下経路に影響を与えることから、各種入賞口への入賞率に影響を与える。したがって、各遊技台で、透明板背面と遊技盤の盤面との間の距離に比較的大きな固体差があると、各遊技台毎の入賞率に違いでる虞あるが、上述のように、透明板背面と遊技盤の盤面との間の距離の固体差を抑制することにより、入賞率の固体差を小さくすることができる。
【００２５】
また、使用期間の経過等により、透明板扉のがたつき等が大きくなっても、透明板扉に遊技盤が押し付けられることにより、透明板背面と遊技盤の盤面との間の距離の経時変化が抑制され、入賞率が経時変化するのを抑制することができる。
【００２６】
本発明の上記構成において、前記付勢手段は、前記遊技盤の互いに平行な一対の側縁部にそれぞれ係合する複数の係合部材と，前記本体枠に設けられ、前記係合部材を前記側縁部に沿って延在する軸回りに回転自在に支持する支持部材と、前記支持部材に回転自在に支持される前記係合部材を前側に回転移動するように付勢するばねとを備えていることが好ましい。
【００２７】
このような構成によれば、遊技盤の側縁部に係合する係合部材が回転移動するので、一対の側縁部のうちの一方の側縁部に係合する係合部材をそのまま係合させた状態で、他方の係合を外すと、遊技盤を一方の側縁部に係合する係合部材の回転により、遊技盤を一方の側縁部側を回転中心として斜めにすることが容易にできる。
【００２８】
これにより、遊技盤の取り外しの際に、最初に遊技盤の他方の側縁部と係合部材との係合を外し、遊技盤を一方の側縁部側を中心に回転移動して斜めにし、この状態で一方の側縁部と係合部材の係合を解除する。これにより、遊技盤を本体枠から取り外すことが可能になる。
【００２９】
また、遊技盤の取り付けに際し、遊技盤を取り外しの際と同様に斜めにした状態で一方の側縁部を係合部材に係合した後に、遊技盤をまっすぐ前を向いた状態とするとともに他方の側縁部に係合部材を係合する。これにより、遊技盤を本体枠に取り付けることができる。なお、このような場合に、係合部材を有する付勢手段が本体枠に対して遊技盤を前後動自在に保持する保持手段も兼ねることになる。
【００３０】
本体枠に対する遊技盤の着脱に際し、遊技盤を斜めにして着脱することにより、島設備に互いに狭い間隔で並んで遊技機が配置されることにより、各遊技機の作業スペースが狭い場合に、遊技盤の着脱作業を容易にすることができる。
なお、透明板扉が例えば左側縁部側に設けられた鉛直方向に略沿う軸回りに回転して扉状に開閉することから、係合部材が係合する一対の側縁部は、左右の側縁部であることが好ましく、この場合に遊技盤の着脱の作業を最も容易にすることができる。
【００３１】
本発明の上記構成において、前記遊技盤の下側に配置され、前記遊技盤の前記遊技領域に向けて遊技球を発射する遊技球発射装置が、前記透明板扉の前記透明板の下側に設けられていることが好ましい。
【００３２】
このような構成によれば、上述のように遊技盤が本体枠に対して前後動可能で、本体枠ではなく、遊技扉により前後位置が決められているため、従来の一般的な弾球遊技機のように、本体枠側に遊技球発射装置を設けると、本体枠と透明板扉の組立誤差等により、遊技球発射装置に対して遊技盤の前後位置がずれるが、この位置ずれを抑制することができる。なお、遊技盤と遊技球発射装置との位置ずれが大きいと遊技球の発射に悪影響を与える可能性がある。特に、本体枠側に遊技球発射装置を設けた状態で、上皿を手前に引っ張られた場合に、遊技球の発射が阻害される虞が高い。
【００３３】
それに対して、遊技球発射装置を透明板扉側に設けた場合に、上述のように透明板扉に遊技盤が位置決めされるとともに、透明板扉の前後動に追随して遊技盤も前後動することから、遊技盤の前後位置と遊技球発射装置の前後位置の位置ずれが生じ難い。また、遊技球発射装置が設けられた透明板扉が上皿を介して引っ張られても、透明板扉の前後動に対応して遊技盤が前後動し、遊技盤と遊技球発射装置との前後方向の位置ずれが大きくならず、遊技球の発射が妨げられることがない。
【００３４】
また、本発明の上記構成において、前記付勢手段の前記係合部材は、前記遊技盤の前記側縁部の前側に配置される前板と、前記遊技盤の前記側縁部の後側に配置される後板とを備え、前記前板と前記後板との間に前記遊技盤の前記側縁部が係合するとともに、前記遊技盤に係合している状態の前記係合部材を前記軸回りに回転可能とするために前記前板と前記後板との間の間隔が、前記遊技盤の前記側縁部の厚みより広くされ、
前記付勢手段は、閉じた状態の前記透明板扉により位置決めされる位置より前側に前記遊技盤が移動可能で、かつ、前記係合部材に前記遊技盤が保持された状態が維持可能な前記係合部材の所定の回転角度より大きな回転角度への回転を規制する規制手段を備え、
前記規制手段のうちの少なくとも前記遊技盤の一対の前記側縁部のうちの一方の前記側縁部に係合する前記係合部材の回転を規制する前記規制手段は、前記係合部材の前記回転角度の規制を解除して、前記係合部材から前記遊技盤の一方の前記側縁部を外せる回転角度以上に回転可能とさせる規制解除手段を備えていることが好ましい。
【００３５】
このような構成によれば、付勢手段を本体枠に遊技盤を前後動自在に保持する保持手段として用いることができ、付勢手段を設けるものとしても、本体枠に遊技盤を保持させる保持手段の少なくとも一部を省略することができ、コストの増加を抑制できる。
【００３６】
付勢手段が、遊技盤を本体枠に保持する保持手段を兼ねるものとした場合に、透明板扉が閉状態では、透明板扉に遊技盤が押し付けられて遊技盤の前後位置が決まるが、透明板扉が開状態となった際に、遊技盤が前側に押し出されて本体枠から落ちてしまう構成となる虞がある。
【００３７】
それに対して、係合部材は、遊技盤の側縁部の前側に配置される前板と、後側に配置される後板とを備え、これら前板と後板との間隔が遊技盤の側縁部の厚みより広くなっている。ここで、前板と後板との間隔に基づいて、係合部材の前側への回転の回転角度が、所定の回転角度より小さければ、遊技盤の前側への移動が係合部材の前板に規制されるので、透明板扉が開放しても、遊技盤の前側への移動が前板に規制されて本体枠から脱落しない。したがって、規制手段により係合部材の前側の回転の回転角度を規制することにより、透明板扉が開放されても、遊技盤を本体枠に保持することができる。
【００３８】
また、本体枠から遊技盤を取り外す場合に、一方の側縁部に係合する係合部材の回転角度の規制を解除することにより、遊技盤の一方の側縁部を係合部材から外すことができる。この場合に、遊技盤の一方の側縁部を前側に移動させて遊技盤を斜めとしてから、他方の側縁部を係合部材から外すことが可能になる。すなわい、遊技盤を斜めの状態で本体枠から取り外せることになり、狭い空間での遊技盤の本体枠からの取り外し作業を容易にすることができる。
【００３９】
また、逆に遊技盤を斜めにした状態で、他方の側縁部を係合部材に係合させた後に、規制解除された状態の係合部材を一方の側縁部に係合させ、その後に回転角度を規制することで、遊技盤を本体枠に保持させることができる。なお、この場合も遊技盤の係合部材に係合する一対の側縁部が左右の側縁部であることが好ましい。
【発明の効果】
【００４０】
本発明によれば、透明板扉を本体枠から引き離すように引っ張る不正行為が行われても、透明板扉と遊技盤とが離れるのを防止することができる。
【図面の簡単な説明】
【００４１】
【図１】本発明の実施の形態に係る遊技機を示す斜視図である。
【図２】（ａ）は遊技機の機枠を示す正面図であり、（ｂ）は（ａ）のＡ−Ａ矢視断面図である。
【図３】遊技機の本体枠を示す斜視図である。
【図４】本体枠の付勢手段を分解した状態に示す斜視図である。
【図５】遊技盤を収容した本体枠を示す斜視図である。
【図６】遊技盤を示す斜視図である。
【図７】（ａ）は遊技機のガラス扉を示す正面図であり、（ｂ）は（ａ）のＡ−Ａ矢視断面図である。
【図８】ガラス扉の背面側を示す斜視図である。
【図９】遊技盤の左側縁部を前に付勢した状態に保持する左ホルダユニットを示す分解斜視図である。
【図１０】遊技盤の右側縁部を前に付勢した状態に保持する右ホルダユニットを示す分解斜視図である。
【図１１】ガラス扉が閉じた状態で、本体枠に対して遊技盤を前に付勢しながら保持する付勢手段を示す要部断面図である。
【図１２】閉じたガラス扉が前側に引っ張られた状態で、本体枠に対して遊技盤を前に付勢しながら保持する付勢手段を示す要部断面図である。
【図１３】ガラス扉が開いた状態で、本体枠に対して遊技盤を前に付勢しながら保持する付勢手段を示す要部断面図である。
【図１４】ガラス扉が開いた状態で、本体枠に対して遊技盤の右側の保持を解除した付勢手段を示す要部断面図である。
【図１５】ガラス扉が開いた状態で、本体枠に対して遊技盤を取り外す際の付勢手段を示す要部断面図である。
【図１６】（ａ）はガラス扉が閉じた状態で、遊技盤を保持した本体枠を示す正面図であり、（ｂ）は（ａ）のＡ−Ａ矢視断面図である。
【図１７】（ａ）はガラス扉が開いた状態で、遊技盤を取り外す際の本体枠を示す正面図であり、（ｂ）は（ａ）のＡ−Ａ矢視断面図である。
【図１８】遊技盤を付勢手段で本体枠に保持した遊技機を示す斜視図である。
【図１９】本体枠に遊技盤を保持する付勢手段の右ホルダユニットに対して盤固定フック部材を押し下げた遊技機を示す斜視図である。
【図２０】本体枠に遊技盤を保持する付勢手段の右ホルダユニットによる遊技盤の保持を解除した遊技機を示す斜視図である。
【図２１】本体枠から付勢手段に保持された遊技盤を取り外す際の遊技機を示す斜視図である。
【発明を実施するための形態】
【００４２】
本発明の実施の形態について図面を参照して説明する。
図１〜図２１に示すように、パチンコ遊技機は、遊技店の島設備に設置される縦長の矩形状の機枠１と、機枠１に扉状に開閉自在に取り付けられた本体枠２と、本体枠２に収納された遊技盤３と、機枠１の本体枠２より前に扉状に開閉自在に取り付けられ、中央に大きく開口部４ａが形成されたガラス扉（透明板扉）４とを備える。
【００４３】
図１に図２に示すように、機枠１は、パチンコ遊技機のベースとなる部分であり、島設備のパチンコ遊技機設置位置に、固定される。
図３〜図５に示すように、本体枠２は、機枠１に対して、左側側縁部が回動自在に支持されており、機枠１を島設備に設置した状態で、裏面側のメンテナンス等が可能になっている。本体枠２の内部には、遊技盤３が収納されているとともに、賞球としての遊技球の払出装置等が設けられている。
【００４４】
図６等に示すように、遊技盤３は、その前面側に遊技球が流下する遊技領域３ａを備える。遊技盤３の遊技領域３ａには、遊技球が入賞可能な入賞口と、入賞しなかった遊技球を排出する排出口等が設けられている。また、裏面側には、変動表示ゲームの演出表示を行う可変表示装置として液晶表示装置や、遊技領域の入賞口やアウト口（排出口）に流入した遊技球を島設備側に排出する排出球経路や、上述の賞球の払出装置に島設備側から賞球（遊技球）を供給する経路や、各種制御装置が設けられている。なお、図５、図６等において、遊技盤３の盤面の各種部材の図示を省略している。
また、遊技盤３に左側縁部の上下二個所には、後述の左ホルダユニット１１の左ホルダ１２が係合する左被係合部３ｂが設けられ、右側縁部の上下二個所には、右ホルダユニット２１の右ホルダ２２が係合する右被係合部３ｃが設けられている。
【００４５】
図１、図７、図８等に示すガラス扉４は、上述の遊技盤３の遊技領域３ａに対応する大きさの開口部４ａが設けられ、当該開口部４ａにガラスユニット４ｂが嵌め込まれて着脱自在に固定されている。ガラスユニット４ｂは、間に間隔をあけて二重に配置されたガラス板（２枚の透明板）からなる二重ガラスである。
【００４６】
ガラス扉４の開口部４ａより下側には、遊技球を貯留するとともに、払い出された賞球が流入する上皿４１および上皿４１から溢れる遊技球を収容する下皿４２が設けられている。また、ガラス扉４の右下部には、発射操作ハンドル４３が設けられている。ガラス扉４の上皿４１の右側には、遊技者が貸球の払出操作等を行うための操作部４４が設けられている。また、上皿４１の略中央には、遊技者の操作に基づく遊技の演出を可能にする演出用ボタン４５が設けられている。また、ガラス扉４には、スピーカ４６や、演出用のランプ（ＬＥＤ）等が備えられている。なお、スピーカとしては、上述のスピーカ４６に加えて機枠１側にスピーカ４７が備えられている。
【００４７】
図３から図５等に示す上述の本体枠２は、下端部側を除く部分が矩形枠状となっており、この枠部分の内側の矩形状の開口部２ａに遊技盤３が収納された状態に保持されるようになっている。
すなわち、本体枠２は、その下部を除いて、上枠２ｂ、下枠２ｃ、左枠２ｄ、右枠２ｅから矩形枠状になっている。
本体枠２の開口部２ａの下端部、すなわち、下枠２ｃに遊技盤３を載せた状態に支持するための支持面部２ｆが設けられている。
【００４８】
本体枠２の開口部２ａの支持面部２ｆの上面には、遊技盤３の底面が当接し、支持面部２ｆが遊技盤３の上下位置を決めるようになっているとともに、遊技盤３を下から支えるようになっている。
【００４９】
本体枠２には、その右側縁部に錠前セット５ａが設けられている。錠前セット５ａは錠前ユニット５と、錠前ユニット５に対して上下動自在に支持されている盤固定フック部材６とを主構成とし、盤固定フック部材６はフックばね６ｂにより上側に付勢されている。錠前ユニット５は、機枠１に係止される機枠係止部と、ガラス扉４に係止される扉係止部とを備え、本体枠２を機枠１に開放不可に施錠するとともに、本体枠２にガラス扉４を開放不可に施錠するようになっている。また、錠前ユニット５は、鍵を用いてガラス扉４を開放するように解錠可能で、かつ、本体枠２を開放するように解錠可能である。
【００５０】
盤固定フック部材６は、後述の付勢手段１０の右ホルダユニット２１の右ホルダ（係合部材）２２の回転角度の規制を解除するためのものであり、上下二つの右ホルダ２２に対応して上下二つのフック６ａを有する細板状で長尺な部材である。
【００５１】
また、盤固定フック部材６は、後述のように右ホルダ（係合部材）２２の回転を規制する規制位置に近似する位置でフックばね６ｂの付勢力による上側への移動が規制されている。
また、盤固定フック部材６の上下のフック６ａの間に操作片６ｃを備え、操作片６ｃによりフックばね６ｂの付勢力に抗して、盤固定フック部材６を右ホルダ２２の回転を規制する規制位置からこの規制を解除する規制解除位置に下に向かって移動可能になっている。
【００５２】
この本体枠２には、遊技盤３を保持するとともに、遊技盤３をその前のガラス扉４に向けて遊技機の前側に付勢する付勢手段１０を備える。
付勢手段１０は、本体枠２の左枠２ｄの内側面の上下２箇所に設けられた左ホルダユニット１１と、右枠２ｅの内側面の上下２箇所に設けられた右ホルダユニット２１とを備える。
すなわち、付勢手段１０は、４つの左右のホルダユニット１１、２１から構成されている。
【００５３】
図９と図１１〜図１５等に示すように、左ホルダユニット１１は、遊技盤３の左右一対の側縁部のうちの左側縁部に係合する左ホルダ１２と、左ホルダ１２を本体枠２の左枠２ｄの内側面に回転自在に支持する左ホルダベース１３と、左ホルダベース１３に対して左ホルダ１２を前側に回転移動させるように付勢するばね１４とを備えている。
【００５４】
左ホルダベース１３は、本体枠２の左枠２ｄの内側面に固定されるとともに、左ホルダ１２に取り付けられる回転軸１５を支持する。回転軸１５は、左ホルダベース１３に、鉛直方向（本体枠２の左側縁）に沿った状態に取り付けられている。
【００５５】
また、左ホルダベース１３の前縁部には、遊技機の右側に向かって突出するストッパ１６を備える。このストッパ１６は、上述の回転軸１５に回転自在に支持されている左ホルダ１２の回転軸１５回りの前側に向かう回転移動の回転角度を所定の回転角度で規制する規制手段となっている。この際に、左ホルダ１２がストッパ１６に接触することにより、左ホルダ１２の前側への回転移動が規制される。
【００５６】
左ホルダ１２の前側への回転角度は、後述のように付勢手段１０により前側に付勢された遊技盤３が閉じた状態のガラス扉４に当接する位置より前に移動可能で、かつ、ガラス扉４が開放されても、付勢手段１０により遊技盤３が保持された状態に維持可能な回転角度である。
【００５７】
左ホルダ１２は、遊技盤３の左側縁部に係合した際に、遊技盤３の左側縁部の前側に配置される前板１２ａと、遊技盤の左側縁部の後側に配置される後板１２ｂと、これら前板１２ａの基端部（左端部）と後板１２ｂの基端部（左端部）を接続する基端板１２ｃとから断面略コ字状に設けられている。
【００５８】
ここで、遊技盤３が前を向いた状態で左ホルダ１２の前板１２ａと後板１２ｂとの距離が遊技盤３の左側縁部（左被係合部３ｂ）の厚みにクリアランス分の間隔を加えた程度の距離だと、遊技盤３を回転させることなく、左ホルダ１２だけを回転することができないので、前板１２ａと後板１２ｂとの間には、クリアランスレベルより大きな隙間が開けられ、遊技盤１の側縁部の正面および背面に対して、前板１２ａおよび後板１２ｂが斜めになるようになっている。この状態で、後板１２ｂの先端が遊技盤３の左側縁部の背面に当接し、遊技盤３を前に押して付勢するようになっている。なお、前板１２ａの先端部は、それよりも基端側に対して前側に斜めに曲げられた状態となっている。この前板１２ａの先端部の斜めの部分が左ホルダ１２に対する遊技盤３の左側縁部の着脱を案内するようになっている。
【００５９】
また、ガラス扉４が開放した状態では、上述のように左ホルダ１２の回転角度が規制され、左ホルダ１２の前板１２ａが遊技盤３の左側縁部の前面に当接することにより、遊技盤３の前側への脱落が防止される。
また、遊技盤３の左側縁部に係合した左ホルダ１２の基端板１２ｃと、遊技盤３の左側縁（端面）との間には、間隔があけられ、左ホルダ１２が回転した際に基端板１２ｃが遊技盤３の左側縁に当たって左ホルダ１２の回転が止められることがないようになっている。
【００６０】
また、基端板１２ｃの背面（遊技機の左を向く面）側には、回転軸１５の上下端部が接続され、左ホルダ１２が回転軸１５回りに回転するようになっている。
また、左ホルダベース１３と左ホルダ１２との間には、二つのねじりばねを組み合わせたばね１４を備え、このばね１４が左ホルダベース１３に対して左ホルダ１２を前側に回転移動するように付勢している。
【００６１】
図１０〜図１５に示すように、右ホルダユニット２１は、遊技盤３の左右一対の側縁部のうちの右側縁部に係合する右ホルダ２２と、右ホルダ２２を本体枠２の右枠２ｅの内側面に回転自在に支持する右ホルダベース２３と、右ホルダベース２３に対して右ホルダ２２を前側に回転移動させるばね２４とを備えている。また、右ホルダユニット２１は、右ホルダベース２３を前後動自在に保持するとともに右ホルダ２２の回転角度を規制する規制手段としてのストッパ２６を有するストッパベース２６ａを備えている。
【００６２】
ストッパベース２６ａは、本体枠２の左枠２ｄの内側面に固定されるとともに、右ホルダベース２３を前後動自在に支持している。また、ストッパベース２６ａと、右ホルダベース２３との間には、ストッパベース２６ａに対して右ホルダベース２３を遊技機の前側に付勢するストッパばね２６ｂが設けられている。なお、ストッパベース２６ａに対して、右ホルダベース２３の前後移動範囲が規制されている。
【００６３】
すなわち、ストッパベース２６ａには、遊技機の左側に突出するストッパ２６の後側にストッパ２６より低い凸部２６ｄ（図１０では凸部２６ｄを面から図示している）がストッパ２６と一体に設けられている。それに対して、ストッパベース２６ａの左側に隣接して配置される右ホルダベース２３には、前記凸部２６ｄが挿入される開口部２３ａが設けられている。ストッパベース２６ａの前記ストッパ２６を有する凸部２６ｄの前後幅は、右ホルダベース２３の開口部２３ａの前後幅より狭くなっており、凸部２６ｄが開口部２３ａに挿入された状態で、ストッパベース２６ａに対して右ホルダベース２３は、開口部２３ａの前後の内側面に凸部２６ｄが当接するまでの範囲で前後動できるようになっている。すなわち、右ホルダベース２３の移動が上述の範囲内に規制されている。
【００６４】
ストッパベース２６ａのストッパ２６は、右ホルダ２２に接触することによって右ホルダ２２の回転移動を規制するが、この右ホルダ２２を回転自在に支持する右ホルダベース２３には、回転軸２５が回転自在に支持され、この回転軸２５に一体に回転可能に取り付けられた右ホルダ２２が右ホルダベース２３の前後動と一体に前後動することになる。
【００６５】
これにより、右ホルダベース２３に支持される右ホルダ２２の位置に対する、ストッパベース２６ａのストッパ２６の位置が相対的に変更可能になっている。この場合に、ストッパベース２６ａのストッパ２６に対する右ホルダベースの相対的移動範囲内に、右ホルダ２２の回転が規制される右ホルダベース２３の前後位置と、右ホルダ２２の回転の規制を解除する右ホルダベース２３の前後位置とがあることになる。
【００６６】
また、右ホルダベース２３の前端部には、上述の盤固定フック部材６のフック６ａに係止される被係止片２３ｂが設けられている。被係止片２３ｂは、前側が斜辺となった直角三角形状のフック６ａに下側から係止されており、盤固定フック部材６を操作片６ｃによりフックばね６ｂの付勢力に抗して下に押し下げた場合に、フック６ａが被係止片２３ｂからはずれるようになっている。
【００６７】
これにより、ストッパばね２６ｂに付勢されている右ホルダベース２３が上述の前後動可能な範囲内で前側に移動する。右ホルダベース２３は、右ホルダ２２を回転自在に支持する回転軸２５を支持していることから、右ホルダ２２も右ホルダベース２３と一緒に前に移動する。それに対してストッパ２６は、移動しないので、ストッパ２６の位置が右ホルダ２２の基端板２２ｃの前側の位置から後方に移動する。これにより、右ホルダ２２の回転角度の規制が解除され、右ホルダ２２がさらに前に回転移動し、開放された先端側が左を向いた状態から斜め前を向いた状態となる。この状態で、右ホルダ２２から遊技盤３の右側縁部を前側に外せる状態となり、遊技盤３の着脱が可能になる。
【００６８】
また、この状態で、遊技盤３の左側縁部を左ホルダ１２から右斜め前方向に引き出すことにより、付勢手段１０による遊技盤３の保持が解除され、そのまま斜めに遊技盤３を引き抜いて、遊技盤３を本体枠から外せる状態となる。
逆に、遊技盤３を右側を前、左側を後にした斜めの状態で本体枠２の開口部２ａ側に挿入し、遊技盤３の左側縁部を左ホルダ１２に係合した後に、遊技盤３の右側を後方に押し付けると、上述のように左斜め前を向いた状態の右ホルダ２２内に遊技盤３の右側縁部が挿入される。
【００６９】
この状態で、左より右が前となるように斜めとなった遊技盤の右側縁部を後方に押すことにより、右ホルダベース２３の被係止片２３ｂが盤固定フック部材６のフック６ａの斜辺を後方に向けて押すことになる。この場合に、斜辺を被係止片２３ｂに後方に押されたフック６ａは、下方に移動し、直角三角形状のフック６ａの頂点が被係止片２３ｂを後側に超えた際に、フック６ａがフックばね６ｂの付勢力により上側に移動し、被係止片２３ｂにフック６ａが係止される。これにより、再び右ホルダ２２の回転角度がストッパ２６により規制される状態となる。以上のような盤固定フック部材６およびフックばね６ｂと、ストッパベース２６ａ、右ホルダベース２３、ストッパばね２６ｂは、右ホルダ２２のストッパ２６による回転角度の規制と規制解除とを切り替えるものであり、規制解除手段として機能していることになる。
【００７０】
なお、右ホルダユニット２１において、右ホルダ２２およびばね２４は、左ホルダユニット１１の左ホルダ１２およびばね１４の左右を逆にした形状となっている以外は、左ホルダ１２およびばね１２と同様の構成を有するものとなっている。また、右ホルダユニット２１の回転軸２５は、左ホルダユニット１１の回転軸１５と同様のものである。
したがって、右ホルダ２２は、左ホルダ１２と同様に前板２２ａ、後板２２ｂ、基端板２２ｃから断面コ字状とされるとともに、基端板２２ｃの背面側で基端板２２ｃが回転軸２５回りに回転可能に回転軸２５に接続されている。
【００７１】
図８に示すように、ガラス扉４のガラスユニット４ｂの二重ガラスを構成する二枚のガラス板のうちの後側のガラス板は、ガラス扉４の背面側で後側に少し突出した状態となっており、その周縁部が上述のように遊技盤３の最前面部３ｄに当接する。また、ガラス扉４の背面のガラスユニット４ｂの下側には、遊技領域３ａに遊技球を発射するための遊技球発射装置５１が設けられている。さらに、ガラス扉４の背面のガラスユニット４ｂの下側には、遊技球発射装置１０に隣接して、上皿４１から供給される遊技球を遊技球発射装置の遊技球が発射される位置に１つずつ送るための球送り手段としての整流器５２が設けられている。
【００７２】
なお、一般的には、本体枠２側に設けられている遊技球発射装置５１および整流器５２をこの実施形態では、ガラス扉４側に設けているが、ガラス扉４を閉じた状態で、遊技球発射装置５１および整流器５２は、これらを本体枠２側に設けた場合と同様の位置に配置されることから基本的な遊技球の流れは、遊技球発射装置５１および整流器５２を本体枠２側に設けた場合と同様である。
【００７３】
遊技球発射装置５１および整流器５２をガラス扉側に設けたのは、遊技球発射装置５１により遊技球が発射される遊技領域３ａを備える遊技盤３が本体枠２に対して前後動自在でガラス扉４により前後位置が決められているため、ガラス扉４側に遊技球発射装置５１を配置した方が、遊技球発射装置５１の前後位置と遊技盤３の遊技領域３ａの前後位置との位置合わせの精度が高くなるからである。
【００７４】
このような遊技機における遊技盤３の付勢手段１０に基づく動作を説明する。
図１１、図１６に示すように、ガラス扉４が閉じた状態において、付勢手段１０の左ホルダユニット１１の左ホルダ１２および右ホルダユニット２１の右ホルダ２２は、それぞれ遊技盤３の左側縁部と右側縁部とに係合した状態となっている。この状態で左ホルダ１２および右ホルダ２２は、ばね１４、２４により前側に回転移動するように付勢されている。したがって、遊技盤３の左右側縁部は、左ホルダ１２の後板１２ｂおよび右ホルダ２２の後板２２ｂを介してばね１４，２４により前側に付勢されている。
【００７５】
この状態で、ガラス扉４の当接部（ガラスユニット４ｂの背面の外周縁部）に前側に付勢された遊技盤３の当接部（図６、図１１〜図１５に示す最前面部３ｄの前面の内周縁部）が当接している。すなわち、ガラス扉４の背面の一部（当接部）に遊技盤３の前面の一部（当接部）がばね１４，２４の付勢力により押し付けられて当接している。なお、この状態で、遊技盤３の遊技領域３ａ内の盤面と、ガラス扉４のガラスユニット４ｂ（二重ガラス）の背面との間は、遊技球が流下可能な所定の間隔となっている。
【００７６】
また、この状態で、左ホルダ１２および右ホルダ２２は、それぞれ左のストッパ１６および右のストッパ２６に当接しておらず、ガラス扉４がなければ、さらに前側に回転移動可能な状態となっている。したがって、たとえば、上皿４１を手前側に強く引っ張ることにより、ガラス扉４が前側に移動した場合に、図１２に示すようにガラス扉４に追従して遊技盤３が前に移動することになる。なお、ガラス扉４の前側への予想される最大変位程度（ガラス扉４や本体枠２が壊れない範囲での予想最大変位に安全率を見込んだ変位以内）の移動であれば、ガラス扉４に追随して遊技盤３が前に移動しても、左ホルダ１２および右ホルダ２２は、それぞれ左のストッパ１６および右のストッパ２６に接触しない設定となっている。
【００７７】
この場合にガラス扉４と遊技盤３との相対的な前後位置関係がほとんど変わらない状態となり、上述のガラスユニット４ｂの背面と遊技盤３の盤面との距離もほとんど変化しない。
したがって、ガラス扉４を前側に無理に動かしてもワイヤやセルロイドを遊技領域３ａ内に挿入し易い状態となることがない。また、ガラス扉４を前に移動して、ガラス扉４のガラスユニット４ｂの背面と遊技盤３の盤面との間の距離を一時的に広くして遊技球を詰まらせることも難しくなる。
【００７８】
また、ガラス扉４と本体枠２との間隔に、組立誤差等により遊技台によって固体差があるような場合であっても、ガラス扉４のガラスユニット４ｂの背面と遊技盤３の盤面との間の距離の固体差を小さくすることができ、遊技台毎の前記距離の違いによる遊技球の流下態様の差を小さくして、各遊技台の入賞率の固体差を低減することができる。また、多くの開閉動作等によりガラス扉のがたが大きくなるような経時変化が生じても、ガラス扉４のガラスユニット４ｂの背面と遊技盤３の盤面との間の距離が経時変化するのを抑制できる。
【００７９】
次に、ガラス扉４が開放する際の遊技盤３と付勢手段１０との動作を説明する。
ガラス扉４が閉じた状態で、ガラス扉４の背面に当接した状態で、かつ、付勢手段１０により前側に付勢されている遊技盤３は、ガラス扉４が開放することで、図１３、図１８に示すように、前方に移動する。なお、図１１〜図２１においては、ガラス扉４の図示を省略している。この際には、左ホルダ１２および右ホルダ２２の前側の回転角度が、ガラス扉４が閉じた状態より大きくなる。
【００８０】
また、ガラス扉４が遊技盤３の前から離れることによって、遊技盤３の前側を支える部材は、左ホルダ１２の前板１２ａおよび右ホルダ２２の前板２２ａとなる。この際に左ホルダ１２および右ホルダ２２の前側への回転角度が大きくなりすぎると、左ホルダ１２および右ホルダ２２の先端（開放端）側が遊技盤３の左右側縁部から外れるようになる。すなわち、左ホルダ１２の前板１２ａおよび右ホルダ２２の前板２２ａと、遊技盤３の左右側縁部の前面との係合が解除されてしまう虞がある。
【００８１】
このように左ホルダ１２および右ホルダ２２の回転角度が大きくなり過ぎる前の所定角度となった際に、左ホルダ１２にストッパ１６が接触して前側への回転が規制され、かつ、右ホルダ２２にストッパ２６が接触して前側への回転が規制される。これにより、ガラス扉４が開放しても、ガラス扉４側に付勢されている遊技盤３が前側に押し出されることなく、本体枠２に保持された状態が維持される。
【００８２】
したがって、本体枠２が遊技盤３を載せた状態に保持する構成ならば、ガラス扉４を開放しても付勢手段１０が遊技盤３を保持した状態となり、遊技盤３の前後動を規制して遊技盤３を本体枠２に保持させる部材を他に設ける必要がない。
また、ガラス扉４を閉めた状態では、付勢手段１０とガラス扉４により遊技盤３が前後に位置決めされるので、本体枠２に遊技盤３の前後の位置決めを行う部材を設ける必要がない。
【００８３】
なお、付勢手段１０では、ガラス扉４の背面の上述の当接部に遊技盤３の前面の上述の当接部が当接する際に、遊技機の左右方向の位置決めを精度を高くできない可能性があるので、別途遊技盤３の左右位置を決める部材を設けることが好ましい。この遊技機では、例えば、本体枠２側の遊技盤３の収納位置の下部側に前後に延在するピン（凸部）を設け、遊技盤３にピンが挿入される孔（貫通孔や凹部）、スリットや、溝を設けるものとしてもよい。また、遊技盤３にピンを設け、本体枠２にピンが挿入される孔やスリットを設けてもよい。
【００８４】
すなわち、遊技盤３と本体枠２とに、それぞれ係合部材を設けるものとし、これら係合部材同士の係合により、遊技盤３と本体枠２との相対的な左右への変位が許容範囲内の小さなものとなっていればよい。
さらに、遊技盤３の左右を位置を本体枠２に対して決めるのではなく、ガラス扉４に対して決めてもよい。上述のようにガラス扉４側に配置された遊技球発射装置５１との位置合わせを考慮した場合に、ガラス扉４に対して遊技盤３の左右位置を決めることが好ましい。
【００８５】
次に、ガラス扉を開放した状態での本体枠２からの遊技盤３の取り外しと、本体枠２への遊技盤３の取り付けについて説明する。
図１３、図１８に示すように、ガラス扉４を開放した状態では、遊技盤３が本体枠２に対して上述のように前側に移動した状態となるが、上述のように本体枠２に付勢手段１０を介して遊技盤３が保持された状態である。
【００８６】
この状態で盤固定フック部材６の操作片６ｃを操作して、図１９に示すように、盤固定フック部材６を下方に下げると、フック６ａが右ホルダベース２３の被係止片２３ｂから外れ、右ホルダベース２３がストッパばね２６ｂにより、ストッパベース２６ａに対して遊技機の前側に移動する。この際に回転軸２５を介して右ホルダベース２３に支持されている右ホルダ２２も前に移動するが、ストッパベース２６ａのストッパ２６の位置は変わらないので、ストッパ２６から右ホルダ２２が外れた状態となり、右ホルダ２２がさらに前側に回転可能になる。
【００８７】
図１４、図２０に示すように、右ホルダ２２が回転すると、右ホルダ２２の前板２２ａが遊技盤３の右側縁から外れた状態となり、遊技盤３の右側縁部を前側に移動して右ホルダ２２から外すことが可能になる。この状態で、図１５、図１７、図２１に示すように、遊技盤３の右側縁部を前に移動して遊技盤３を斜めとした後に、遊技盤３の左側縁部を左ホルダから外すことにより、本体枠２から遊技盤３を斜めの状態で外すことができる。遊技盤を斜めとすることよって、遊技機が狭い間隔で並んでいることと、開放した状態のガラス扉が左右の遊技機の間にあることのために、作業スペースが遊技機の略左右幅に規制された状態であっても、遊技盤を容易に外すことができる。
【００８８】
次に、遊技盤３を本体枠２に取り付ける場合を説明する。この場合には、上述のように遊技盤３が取り外された状態と同様の状況になっているものとする。この場合に、上述のように右ホルダユニット２１において、フック６ａの外れた右ホルダベース２３が前側に移動していることによって、右ホルダ２２からストッパ２６がはずれ、右ホルダ２２が遊技盤１の右側縁に係合する回転角度より前向きに近い回転角度で斜めを向いた状態となっている。
また、盤固定フック部材６は、フックばね６ｂにより、下方に移動させられる前の上下位置と略同様の上下位置に戻っているが、被係止片２３ｂに係止されておらず、右ホルダベース２３の被係止片２３ｂの下側縁の上下位置とフック６ａの斜辺の上端の上下位置とが略同じになっている。
【００８９】
また、左側縁部に係合する左ホルダ１２は、ストッパ１６により所定の回転角度とされている。この状態で遊技盤３を斜めとして、開放したガラス扉４の右側で、遊技盤３の右側縁が左側縁より前にくるように斜めとし、遊技盤３の左側縁部を左ホルダ１２に挿入する。次に、遊技盤３が真っ直ぐ前を向くように右側縁部を後側に移動する。
後側に移動する遊技盤３の右側縁部は、右ホルダ２２の後板２２ｂに接触し、右ホルダ２２を後に回転移動させることになる。これにより、右ホルダ２２に遊技盤３の右側縁部が係合する。
【００９０】
この際に、前側に移動している右ホルダベース２３が後方に移動し、右ホルダベース２３のフック６ａの斜辺に接触している被係止片２３ｂが下側に押し下げられる。
【００９１】
フック６ａの頂点に被係止片２３ｂの下側縁が至ると、被係止片２３ｂがフック６ａの頂点を乗り越え、被係止片２３ｂを係止するための低い部分に至り、押し下げられていた盤固定フック部材６がフックばね６ｂの付勢力により上昇し、フック６ａが被係止片２３ｂに係止された状態となる。
この状態で、遊技盤３の左右の側縁部が左ホルダユニット１１の左ホルダ１２と右ホルダユニット２１の右ホルダ２２とに係合し、遊技盤３が本体枠２に保持された状態となる。
【００９２】
遊技盤３の本体枠２への取り付けに際しても遊技盤３を斜めとして取り付けられるので狭い作業スペースでも容易に遊技盤３を取り付けることができる。なお、遊技盤３を斜めにして本体枠２に対する取り付けを可能とするのは、左ホルダ１２と右ホルダ２２が回転移動可能なことと、左右のホルダ１２，２２の前板１２ａ、２２ａと、後板１２ｂ、２２ｂとの間隔が遊技盤３の側縁部よりかなり広いことによるものである。
【００９３】
また、上述のように遊技盤３が本体枠２に対しては前後動自在で、かつ、ガラス扉４により位置決めされた状態となっていることに対応して、遊技盤３の遊技領域３ａに遊技球を発射する遊技球発射装置５１をガラス扉４に設けたことにより、遊技球発射装置５１を従来と同様に本体枠２側に設けた場合よりも、遊技盤３の位置に対する遊技球発射装置５１の位置の精度を高くすることができる。これにより、遊技球発射時の安定性（ファール球の発生の減少等）を高めることができる。
【００９４】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【００９５】
２      本体枠
３      遊技盤
３ａ    遊技領域
４      ガラス扉（透明板扉）
４ｂ    ガラスユニット（二重ガラス、透明板）
６      盤固定フック部材（規制解除手段）
６ａ    フック（規制解除手段）
６ｂ    フックばね（規制解除手段）
１０    付勢手段
１２    左ホルダ（係合部材）
１２ａ  前板
１２ｂ  後板
１３    左ホルダベース（支持部材）
１４    ばね
１６    ストッパ（規制手段）
２２    右ホルダ（係合部材）
２２ａ  前板
２２ｂ  後板
２３    右ホルダベース（支持部材、規制解除手段）
２３ａ  ストッパばね
２４    ばね
２６    ストッパ（規制手段）
２６ａ  ストッパベース（規制解除手段）
２６ｂ  ストッパばね（規制解除手段）
５１    遊技球発射装置
【図１】
2014171595.tif 000003
【図２】
2014171595.tif 000004
【図３】
2014171595.tif 000005
【図４】
2014171595.tif 000006
【図５】
2014171595.tif 000007
【図６】
2014171595.tif 000008
【図７】
2014171595.tif 000009
【図８】
2014171595.tif 000010
【図９】
2014171595.tif 000011
【図１０】
2014171595.tif 000012
【図１１】
2014171595.tif 000013
【図１２】
2014171595.tif 000014
【図１３】
2014171595.tif 000015
【図１４】
2014171595.tif 000016
【図１５】
2014171595.tif 000017
【図１６】
2014171595.tif 000018
【図１７】
2014171595.tif 000019
【図１８】
2014171595.tif 000020
【図１９】
2014171595.tif 000021
【図２０】
2014171595.tif 000022
【図２１】
2014171595.tif 000023